(57)【特許請求の範囲】
【請求項１】
合成樹脂からなるフィルムもしくはシートによって形成されたダミー本体と、
合成樹脂からなるフィルムもしくはシートによって形成されて、前記ダミー本体に着脱自在に取り付けられる広告等表示体と、
を有するダミー体であって、
前記ダミー本体は、商品の容器や包装体を模した本体部を備え、
前記広告等表示体は、前記商品に関する広告等を表示する広告等表示部を備え、
前記ダミー本体と前記広告等表示体との、いずれか一方は、切り込みからなる係合部が設けられた連結部を備え、いずれか他方は、切り込みからなって前記係合部と係合する被係合部が設けられた被連結部を備え、
前記係合部は、入り口側に、幅の狭い空間を形成する幅狭空間形成部を有するとともに、奥側に、幅の広い空間を形成する幅広空間形成部を有し、
前記被連結部は、前記幅狭空間形成部よりも幅狭に形成された幅狭部と、前記幅広空間形成部よりも幅広に形成された幅広部とを有し、
その幅広部に、前記被係合部が設けられ、
前記被連結部の前記幅狭部を、前記係合部の前記幅狭空間形成部から前記幅広空間形成部へと進入させた後に、その幅広空間形成部を、前記幅狭部から前記被係合部まで相対的にスライド移動させるべく、
前記被連結部には、前記幅広空間形成部の前記移動を案内する、案内部が設けられているダミー体。
【請求項２】
前記ダミー本体が、前記連結部を備え、かつ、前記広告等表示体が、前記被連結部を備え、
前記被連結部は、前記広告等表示部から近い側に前記幅狭部を有するとともに、前記広告等表示部から遠い側に前記幅広部を有し、
前記被係合部は、前記幅広部の基端部を残すようにして、前記幅広部に設けられている、請求項１に記載のダミー体。
【請求項３】
前記案内部は、前記幅広空間形成部と当接した前記幅広部を、前記幅狭空間形成部側に凸に湾曲するように弾性変形させて、前記幅広空間形成部の前記移動を案内する、請求項１または２に記載のダミー体。
【請求項４】
前記被係合部は、前記幅広部の一部がくびれるように切り込まれて形成されてなる、請求項３に記載のダミー体。
【請求項５】
前記案内部は、前記被連結部の両側部が前記幅狭部から前記被係合部に向かう方向にテーパー状に広がるように形成された、テーパー部を有する、請求項４に記載のダミー体。
【請求項６】
前記ダミー本体は、略半割り形状の前記本体部の外縁から上方または／および左右方向に延出する、延出部を有し、その延出部に前記連結部が形成されている、請求項２ないし５のいずれか１項に記載のダミー体。
【請求項７】
前記広告等表示体は、前記広告等表示部の上端または／および側端から延出する、延出片を有し、その延出片に前記被連結部が形成されており、
前記広告等表示体は、前記延出片の一部あるいは全体が、前記ダミー本体側に折れ曲がり、かつ、前記広告等表示部が、前記ダミー本体の前面側に位置するようにして、前記ダミー本体に取り付けられる、請求項６記載のダミー体。
【請求項８】
前記ダミー本体は、略半割り形状の前記本体部の外縁から少なくとも上方に延出する、延出部を有し、その延出部の、前記本体部の上方位置に、前記連結部が形成されており、
前記広告等表示体は、前記広告等表示部の上端から延出する、延出片を有し、その延出片に前記被連結部が形成されており、
前記広告等表示体は、前記延出片の一部あるいは全体が、前記ダミー本体側に折れ曲がり、かつ、前記広告等表示部が、前記ダミー本体の前面側に位置するようにして、前記ダミー本体に取り付けられる、請求項２ないし５のいずれか１項に記載のダミー体。
【請求項９】
合成樹脂からなるフィルムもしくはシートによって形成され、商品の容器や包装体を模した本体部と、切り込みからなる係合部が設けられた連結部とを備え、その係合部が、入り口側に、幅の狭い空間を形成する幅狭空間形成部を有するとともに、奥側に、幅の広い空間を形成する幅広空間形成部を有してなる、ダミー本体、
に着脱自在に取り付けられる広告等表示体であって、
合成樹脂からなるフィルムもしくはシートによって形成され、
前記商品に関する広告等を表示する広告等表示部と、切り込みからなって前記係合部と係合する被係合部が設けられた被連結部とを備え、
前記被連結部は、前記広告等表示部から近い側に、前記幅狭空間形成部よりも幅狭に形成された幅狭部を有するとともに、前記広告等表示部から遠い側に、前記幅広空間形成部よりも幅広に形成された幅広部を有し、
前記被係合部は、前記幅広部の基端部を残すようにして、前記幅広部に設けられ、かつ、
前記被連結部の前記幅狭部を、前記係合部の前記幅狭空間形成部から前記幅広空間形成部へと進入させた後に、その幅広空間形成部を、前記幅狭部から前記被係合部まで相対的にスライド移動させるべく、
前記被連結部には、前記幅広空間形成部と当接した前記幅広部を、前記幅狭空間形成部側に凸に湾曲するように弾性変形させて、前記幅広空間形成部の前記移動を案内する、案内部が設けられている広告等表示体。
【請求項１０】
前記被係合部は、前記幅広部の一部がくびれるように切り込まれて形成されてなる、請求項９に記載の広告等表示体。
【請求項１１】
前記案内部は、前記被連結部の両側部が前記幅狭部から前記被係合部に向かう方向にテーパー状に広がるように形成された、テーパー部を有する、請求項１０に記載の広告等表示体。
【請求項１２】
前記広告等表示部の上端または／および側端から延出する、延出片を有し、その延出片に前記被連結部が形成されており、
前記延出片の一部あるいは全体が、前記ダミー本体側に折れ曲がり、かつ、前記広告等表示部が、前記ダミー本体の前面側に位置するようにして、前記ダミー本体に取り付けられる、請求項１１に記載の広告等表示体。
【発明の詳細な説明】
【技術分野】
【０００１】
この発明は、自動販売機等に陳列されるダミー体、および、そのダミー体に用いられる広告等表示体に関する。
【背景技術】
【０００２】
従来、例えば、飲料とかタバコ等の商品を取り扱う自動販売機等において、その商品の見本として陳列されるダミー体があった（例えば、特許文献１参照）。このダミー体は、前記商品と略同一なデザインが施されたラベルシートと、そのラベルシートをはめ込む開口部を備えた枠体とで構成される、ダミー本体を有していた。そして、このダミー本体には、前記商品に関する広告等が表示された、シート状の広告等表示体が取り付けられていた。
【０００３】
【特許文献１】実用新案登録第３０７５７１６号公報
【発明の開示】
【発明が解決しようとする課題】
【０００４】
ところで、前記従来のダミー体にあっては、広告等表示体は、ラベルシートが枠体の開口部にはめ込まれた状態で、それら枠体とラベルシートとの間に挟むようにして、ダミー本体に取り付けられており、その取付構造が複雑であった。また、ダミー本体に広告等表示体を取り付ける際には、ラベルシートが枠体から外れないように注意を払わなければならなかった。この発明は、上記した従来の欠点を解決するためになされたものであり、その目的とするところは、簡単な構造で、かつ、ダミー本体に広告等表示体を容易に取り付けることができる、ダミー体、および、そのダミー体に用いられる広告等表示体を提供することにある。
【課題を解決するための手段】
【０００５】
この発明に係るダミー体および広告等表示体は、前記目的を達成するために、次の構成からなる。すなわち、請求項１に記載の発明に係るダミー体は、合成樹脂からなるフィルムもしくはシートによって形成されたダミー本体と、合成樹脂からなるフィルムもしくはシートによって形成されて、前記ダミー本体に着脱自在に取り付けられる広告等表示体と、を有する。ここで、前記ダミー本体は、商品の容器や包装体を模した本体部を備え、前記広告等表示体は、前記商品に関する広告等を表示する広告等表示部を備える。また、前記ダミー本体と前記広告等表示体との、いずれか一方は、切り込みからなる係合部が設けられた連結部を備え、いずれか他方は、切り込みからなって前記係合部と係合する被係合部が設けられた被連結部を備える。前記係合部は、入り口側に、幅の狭い空間を形成する幅狭空間形成部を有するとともに、奥側に、幅の広い空間を形成する幅広空間形成部を有する。また、前記被連結部は、前記幅狭空間形成部よりも幅狭に形成された幅狭部と、前記幅広空間形成部よりも幅広に形成された幅広部とを有する。そして、その幅広部に、前記被係合部が設けられている。さらに、前記被連結部の前記幅狭部を、前記係合部の前記幅狭空間形成部から前記幅広空間形成部へと進入させた後に、その幅広空間形成部を、前記幅狭部から前記被係合部まで相対的にスライド移動させるべく、前記被連結部には、前記幅広空間形成部の前記移動を案内する、案内部が設けられている。
【０００６】
このダミー体にあっては、合成樹脂からなるフィルムもしくはシートによって形成された、ダミー本体および広告等表示体の、いずれか一方が備える連結部に設けられた係合部と、いずれか他方が備える被連結部に設けられた被係合部とを、係合させることにより、ダミー本体に広告等表示体が取り付けられる。ここにおいて、ダミー本体に広告等表示体を取り付けるには、まず、前記被連結部の幅狭部を、前記係合部の、入り口側となる幅狭空間形成部から、奥側となる幅広空間形成部へと進入させる。次いで、前記幅狭部が進入した前記幅広空間形成部を、その幅狭部から、幅広部に設けられた前記被係合部まで、相対的にスライド移動させる。このとき、被連結部に設けられた案内部が、前記幅広空間形成部の、前記幅狭部から前記被係合部までの相対的な移動を案内する。こうして、被係合部が係合部と係合することにより、ダミー本体に広告等表示体が取り付けられる。
【０００７】
そして、このダミー体にあっては、切り込みからなる係合部と被係合部とを係合させることで、ダミー本体に広告等表示体が取り付けられるため、その取付構造が簡単である。そして、被連結部の幅狭部を、連結部に設けられた係合部の幅広空間形成部に進入させた後に、その幅広空間形成部を相対的にスライド移動させることにより、被係合部が係合部と係合するため、ダミー本体に広告等表示体を容易に取り付けることができる。
【０００８】
また、請求項２に記載の発明に係るダミー体のように、請求項１に記載のダミー体において、前記ダミー本体が、前記連結部を備え、かつ、前記広告等表示体が、前記被連結部を備え、前記被連結部は、前記広告等表示部から近い側に前記幅狭部を有するとともに、前記広告等表示部から遠い側に前記幅広部を有し、前記被係合部は、前記幅広部の基端部を残すようにして、前記幅広部に設けられてもよい。
【０００９】
また、請求項３に記載の発明に係るダミー体のように、請求項１または２に記載のダミー体において、前記案内部は、前記幅広空間形成部と当接した前記幅広部を、前記幅狭空間形成部側に凸に湾曲するように弾性変形させて、前記幅広空間形成部の前記移動を案内するものであってもよい。このダミー体にあっては、前記幅狭部が進入した前記幅広空間形成部が、前記被連結部の幅広部と当接すると、その被連結部に設けられた案内部は、前記幅広部を、前記幅狭空間形成部側に凸に湾曲するように弾性変形させて、前記幅広空間形成部の、前記幅狭部から前記被係合部までの相対的な移動を案内する。
【００１０】
また、請求項４に記載の発明に係るダミー体のように、請求項３に記載のダミー体において、前記被係合部は、前記幅広部の一部がくびれるように切り込まれて形成されるものであってもよい。
【００１１】
また、請求項５に記載の発明に係るダミー体のように、請求項４に記載のダミー体において、前記案内部は、前記被連結部の両側部が前記幅狭部から前記被係合部に向かう方向にテーパー状に広がるように形成された、テーパー部を有するのが望ましい。
【００１２】
また、請求項６に記載の発明に係るダミー体のように、請求項２ないし５のいずれか１項に記載のダミー体において、前記ダミー本体は、略半割り形状の前記本体部の外縁から上方または／および左右方向に延出する、延出部を有し、その延出部に前記連結部が形成されてもよい。
【００１３】
また、請求項７に記載の発明に係るダミー体のように、請求項６に記載のダミー体において、前記広告等表示体は、前記広告等表示部の上端または／および側端から延出する、延出片を有し、その延出片に前記被連結部が形成されており、前記広告等表示体は、前記延出片の一部あるいは全体が、前記ダミー本体側に折れ曲がり、かつ、前記広告等表示部が、前記ダミー本体の前面側に位置するようにして、前記ダミー本体に取り付けられてもよい。
【００１４】
また、請求項８に記載の発明に係るダミー体のように、請求項２ないし５のいずれか１項に記載のダミー体において、前記ダミー本体は、略半割り形状の前記本体部の外縁から少なくとも上方に延出する、延出部を有し、その延出部の、前記本体部の上方位置に、前記連結部が形成されており、前記広告等表示体は、前記広告等表示部の上端から延出する、延出片を有し、その延出片に前記被連結部が形成されており、前記広告等表示体は、前記延出片の一部あるいは全体が、前記ダミー本体側に折れ曲がり、かつ、前記広告等表示部が、前記ダミー本体の前面側に位置するようにして、前記ダミー本体に取り付けられてもよい。
【００１５】
また、請求項９に記載の発明に係る広告等表示体は、合成樹脂からなるフィルムもしくはシートによって形成され、商品の容器や包装体を模した本体部と、切り込みからなる係合部が設けられた連結部とを備え、その係合部が、入り口側に、幅の狭い空間を形成する幅狭空間形成部を有するとともに、奥側に、幅の広い空間を形成する幅広空間形成部を有してなる、ダミー本体、に着脱自在に取り付けられる広告等表示体である。この広告等表示体は、合成樹脂からなるフィルムもしくはシートによって形成され、前記商品に関する広告等を表示する広告等表示部と、切り込みからなって前記係合部と係合する被係合部が設けられた被連結部とを備える。ここで、前記被連結部は、前記広告等表示部から近い側に、前記幅狭空間形成部よりも幅狭に形成された幅狭部を有するとともに、前記広告等表示部から遠い側に、前記幅広空間形成部よりも幅広に形成された幅広部を有する。そして、前記被係合部は、前記幅広部の基端部を残すようにして、前記幅広部に設けられている。さらに、前記被連結部の前記幅狭部を、前記係合部の前記幅狭空間形成部から前記幅広空間形成部へと進入させた後に、その幅広空間形成部を、前記幅狭部から前記被係合部まで相対的にスライド移動させるべく、前記被連結部には、前記幅広空間形成部と当接した前記幅広部を、前記幅狭空間形成部側に凸に湾曲するように弾性変形させて、前記幅広空間形成部の前記移動を案内する、案内部が設けられている。
【００１６】
この広告等表示体は、合成樹脂からなるフィルムもしくはシートによって形成されている。そして、ダミー本体が備える連結部に設けられた係合部と、この広告等表示体が備える被連結部に設けられた被係合部とを、係合させることにより、この広告等表示体は、前記ダミー本体に取り付けられる。ここにおいて、この広告等表示体を前記ダミー本体に取り付けるには、まず、前記被連結部の幅狭部を、前記係合部の、入り口側となる幅狭空間形成部から、奥側となる幅広空間形成部へと進入させる。次いで、前記幅狭部が進入した前記幅広空間形成部を、その幅狭部から、幅広部に設けられた前記被係合部まで、相対的にスライド移動させる。このとき、前記幅広空間形成部が、前記被連結部の幅広部と当接すると、その被連結部に設けられた案内部は、前記幅広部を、前記幅狭空間形成部側に凸に湾曲するように弾性変形させて、前記幅広空間形成部の、前記幅狭部から前記被係合部までの相対的な移動を案内する。こうして、被係合部が係合部と係合することにより、この広告等表示体は、前記ダミー本体に取り付けられる。
【００１７】
また、請求項１０に記載の発明に係る広告等表示体のように、請求項９に記載の広告等表示体において、前記被係合部は、前記幅広部の一部がくびれるように切り込まれて形成されるものであってもよい。
【００１８】
また、請求項１１に記載の発明に係る広告等表示体のように、請求項１０に記載の広告等表示体において、前記案内部は、前記被連結部の両側部が前記幅狭部から前記被係合部に向かう方向にテーパー状に広がるように形成された、テーパー部を有するのが望ましい。
【００１９】
また、請求項１２に記載の発明に係る広告等表示体のように、請求項１１に記載の広告等表示体において、前記広告等表示部の上端または／および側端から延出する、延出片を有し、その延出片に前記被連結部が形成されており、前記延出片の一部あるいは全体が、前記ダミー本体側に折れ曲がり、かつ、前記広告等表示部が、前記ダミー本体の前面側に位置するようにして、前記ダミー本体に取り付けられるものであってもよい。
【発明の効果】
【００２０】
この発明に係るダミー体および広告等表示体によれば、簡単な構造で、かつ、ダミー本体に広告等表示体を容易に取り付けることができる。
【発明を実施するための最良の形態】
【００２１】
以下、この発明に係るダミー体および広告等表示体を実施するための最良の形態を図面に基づいて説明する。
【００２２】
図１ないし図９は、本発明の一実施の形態を示す。図中符号１は、飲料とかタバコ等の商品を取り扱う自動販売機等に設けられた展示用のステージである。２は、このステージ１に設置されるダミー体である。
【００２３】
このダミー体２は、合成樹脂からなるフィルムもしくはシートによって形成されたダミー本体３と、合成樹脂からなるフィルムもしくはシートによって形成されて、ダミー本体３に着脱自在に取り付けられる広告等表示体４と、を有する。ここで、ダミー本体３は、前記商品の容器や包装体を模した本体部３ａを備え、広告等表示体４は、前記商品に関する広告等を表示する広告等表示部４ａを備える。また、ダミー本体３と広告等表示体４との、いずれか一方（図示実施の形態においては、ダミー本体３）は、切り込みからなる係合部５が設けられた連結部６を備え、いずれか他方（図示実施の形態においては、広告等表示体４）は、切り込みからなって係合部５と係合する被係合部７が設けられた被連結部８を備える。この係合部５は、入り口側に、幅の狭い空間を形成する幅狭空間形成部５ａを有するとともに、奥側に、幅の広い空間を形成する幅広空間形成部５ｂを有する。また、被連結部８は、前記幅狭空間形成部５ａよりも幅狭に形成された幅狭部８ａと、前記幅広空間形成部５ｂよりも幅広に形成された幅広部８ｂとを有する。そして、その幅広部８ｂに、前記被係合部７が設けられている。
【００２４】
さらに、被連結部８の幅狭部８ａを、係合部５の幅狭空間形成部５ａから幅広空間形成部５ｂへと進入させた後に、その幅広空間形成部５ｂを、前記幅狭部８ａから前記被係合部７まで相対的にスライド移動させるべく、被連結部８には、前記幅広空間形成部５ｂの前記移動を案内する、案内部１０が設けられている。詳細には、案内部１０は、幅広空間形成部５ｂと当接した幅広部８ｂを、幅狭空間形成部５ａ側に凸に湾曲するように弾性変形させて、前記幅広空間形成部５ｂの前記移動を案内する。
【００２５】
また、図示実施の形態においては、被連結部８は、広告等表示部４ａから近い側に幅狭部８ａを有するとともに、広告等表示部４ａから遠い側に幅広部８ｂを有し、被係合部７は、幅広部８ｂの基端部８ｅを残すようにして、その幅広部８ｂに設けられている。また、被係合部７は、幅広部８ｂの一部がくびれるように切り込まれて形成されている。また、案内部１０は、被連結部８の両側部８ｃ、８ｃが幅狭部８ａから被係合部７に向かう方向にテーパー状に広がるように形成された、テーパー部８ｄを有する。
【００２６】
詳細には、ダミー本体３は、例えば、アクリル樹脂、ポリカーボネート樹脂、ポリエステル樹脂等の合成樹脂材料等によって形成されている。そして、容器または包装体としての飲料用ボトル（例えば、ＰＥＴボトルや金属ボトル等）の正面側を模すように形成された、前記本体部３ａを備えている（図１参照）。この本体部３ａは、前記飲料用ボトルを、中心もしくはその中心近辺（中心よりもやや後方あるいはやや前方の位置）で縦方向に割ったような、例えば略半割り形状からなり、その背面側は、開放されている（図２参照）。具体的には、本体部３ａは、柱状（図示実施の形態においては、略半円柱状）に形成された胴体部３ｂと、その胴体部３ｂから上方に向かう方向に径小となるように形成された傾斜部３ｃと、その傾斜部３ｃの上方に、前記飲料用ボトルのキャップ部分の正面側を模すように形成された頭部３ｄとで構成されている（図１、図４参照）。また、ダミー本体３の底部には、ステージ１に形成された、例えば略円形状の取付孔１ａに嵌まる、取付溝３ｅを有する取付部３ｆが設けられている（図１、図２参照）。
【００２７】
そして、ダミー本体３は、本体部３ａの外縁から上方および左右方向に延出する、延出部３ｇを有し、その延出部３ｇの、本体部３ａの上方位置に、前記連結部６が形成されている。図示実施の形態においては、延出部３ｇは、板状に形成されるとともに、傾斜部３ｃおよび頭部３ｄの背面側の外縁から、左右方向の外側にそれぞれ向かうようにして、かつ、頭部３ｄの頂面３ｈのさらに上方に向かうようにして、延出している。そして、延出部３ｇの、本体部３ａの上方（詳細には、頭部３ｄの頂面３ｈの上方）に位置する部分が、前記連結部６となっている（図１、図４参照）。
【００２８】
そして、この連結部６に、前記係合部５が設けられている。詳細には、係合部５は、例えば、トムソン機等の打ち抜き機械等によって、上方に開口するように、正面視略台形状に型抜きされて、凹状に形成されている（図４参照）。そして、係合部５は、前記入り口側となる上側に、幅狭空間形成部５ａを有するとともに、前記奥側となる下側に、幅広空間形成部５ｂを有している（図１、図４参照）。また、前記幅狭空間形成部５ａは、その幅狭空間形成部５ａと被連結部８の幅狭部８ａとが対向位置するように、前記被連結部８を配備可能とする、ダミー本体３の上方の配備空間（図示実施の形態においては、外方空間）Ｓに臨んでいる。
【００２９】
一方、広告等表示体４は、例えば、アクリル樹脂、ポリカーボネート樹脂、ポリエステル樹脂等の合成樹脂材料等によって、板状に形成されている（図１〜図３参照）。図示実施の形態においては、前記広告等表示部４ａは、正面視略矩形状（詳細には、四隅がアール状に形成された、横長の略長方形状）に形成されている。そして、広告等表示体４は、その広告等表示部４ａの上端４ｂの略中央部分から延出する、延出片４ｃを有し、その延出片４ｃに前記被連結部８が形成されている。図示実施の形態においては、延出片４ｃには、広告等表示部４ａ側に寄った位置に、折り曲げのための手段、例えばミシン目Ｍが設けられており、延出片４ｃの、前記ミシン目Ｍから、広告等表示部４ａ側とは反対側の部分が、被連結部８となっている（図１、図３参照）。ここで、被連結部８は、前述したように、広告等表示部４ａから近い側に幅狭部８ａを有するとともに、広告等表示部４ａから遠い側に幅広部８ｂを有する。また、幅広部８ｂには、正面視略矩形状（より詳細には、横長の略長方形状）に形成された前記基端部８ｅを残すようにして、一対の被係合部７、７が、左右の各側にそれぞれ切り込まれて形成されている。そして、被連結部８の、両側部８ｃ、８ｃには、前記ミシン目Ｍから被係合部７、７に渡って、前記テーパー部８ｄ、８ｄが形成されている（すなわち、案内部１０は、その全体が、幅狭部８ａから被係合部７、７に向かってテーパー状に広がるように、形成されている。）。なお、実際の使用においては、広告等表示部４ａには、例えば、前記商品に関する広告、キャッチフレーズ、商標、その他の文字、図形等が印刷される（図示せず）。
【００３０】
次に、以上の構成からなるダミー体２の作用効果について説明する。このダミー体２において、ダミー本体３に広告等表示体４を取り付けるには、まず、連結部６に設けられた係合部５の幅狭空間形成部５ａと、被連結部８の幅狭部８ａとが、互いに対向位置するように、被連結部８を前記配備空間Ｓに配備するとともに、図５で示すように、その配備空間Ｓに配備された被連結部８の幅狭部８ａを、係合部５の、前記入り口側となる幅狭空間形成部５ａから、前記奥側となる幅広空間形成部５ｂへと進入させる（図示実施の形態においては、被連結部８を備える広告等表示体４を、図５に矢印で示されるように、前記配備空間Ｓから下方向に移動させて、前記幅狭部８ａを前記幅広空間形成部５ｂへと進入させる。）。次いで、図６で示すように、幅狭部８ａが進入した幅広空間形成部５ｂを、その幅狭部８ａから、幅広部８ｂに設けられた被係合部７、７まで、相対的にスライド移動させる（図示実施の形態においては、被連結部８を備える広告等表示体４を、図６に矢印で示されるように、ダミー本体３の背面側から正面側に向かう方向にスライド移動させる。）。このとき、幅広空間形成部５ｂが、被連結部８の幅広部８ｂと当接すると、その被連結部８に設けられた案内部１０（図示実施の形態においては、被連結部８の両側部８ｃ、８ｃに形成されたテーパー部８ｄ、８ｄ）によって、幅広部８ｂが、図７で示すように、幅狭空間形成部５ａ側に凸に湾曲するように弾性変形する（換言すれば、幅広部８ｂが、前記配備空間Ｓ方向に逃げるように弾性変形する。）とともに、その幅広部８ｂが弾性変形した状態で、幅広空間形成部５ｂが、幅狭部８ａから被係合部７、７まで相対的に移動するように案内される。そして、被係合部７、７が係合部５と係合すると、幅広部８ｂの前記弾性変形は、解消されて、ダミー本体３に広告等表示体４が取り付けられる（図８参照）。なお、図示実施の形態においては、広告等表示体４をダミー本体３に取り付けた後、その広告等表示体４の広告等表示部４ａ側を、前記ミシン目Ｍに沿って下側に折り曲げることにより、広告等表示体４は、延出片４ｃの一部が、ダミー本体３側に折れ曲がり、かつ、広告等表示部４ａが、ダミー本体３の前面側（詳細には、傾斜部３ｃの上部部分および頭部３ｄの、前面側）に位置するようにして、ダミー本体３に取り付けられることとなる（図１、図２参照）。なお、広告等表示部４ａ側を前記ミシン目Ｍに沿って折り曲げた後に、広告等表示体４を、ダミー本体３に取り付けるようにしてもよい。
【００３１】
そして、このダミー体２にあっては、切り込みからなる係合部５と被係合部７、７とを、係合させることで、ダミー本体３に広告等表示体４が取り付けられるため、その取付構造が簡単である。そして、被連結部８の幅狭部８ａを、連結部６に設けられた係合部５内に、すなわち、幅狭空間形成部５ａから幅広空間形成部５ｂへと進入させた後に、その幅広空間形成部５ｂを相対的にスライド移動させることにより、被係合部７、７が係合部５と係合するため、ダミー本体３に広告等表示体４を容易に取り付けることができる。
【００３２】
ところで、このダミー体２をステージ１に設置する際には、予めダミー本体３をステージ１に取り付けてから、そのダミー本体３に広告等表示体４を取り付けてもよいし、あるいは、ダミー本体３に広告等表示体４を取り付けてなるダミー体２を、ステージ１に取り付けてもよい。そして、ダミー体２を、ダミー本体３に広告等表示体４を取り付けた状態で運搬することにより、ダミー体２をステージ１に設置する際に、その都度、ダミー本体３に広告等表示体４を取り付ける必要がないため、作業者の負担を軽減することができる。しかも、このダミー体２にあっては、例えば、図９で示すように、ダミー本体３に取り付けられた広告等表示体４を、被係合部７、７を起点にして、ダミー本体３の上方側に回動させた状態（すなわち、図９に矢印で示される方向に回動させた状態）で、複数重ね合わせる（図９においては、ダミー体２を５個重ね合わせた状態を示す）ことができるため、ダミー体２の運搬作業や設置作業において、複数のダミー体２、２が嵩張ることがなく、その取り扱いが容易となる。さらに、このダミー体２にあっては、ダミー体２がステージ１に設置された状態で、その広告等表示体４だけを交換することができる。
【００３３】
なお、本発明は、上述した実施の形態に限定されるわけではなく、その他種々の変更が可能である。例えば、ダミー本体３の本体部３ａは、飲料用ボトルを模していなくても、例えば、飲料用の缶や、タバコの包装体等を模していてもよく、要するに、各種商品の容器や包装体を模していればよい。また、ダミー本体３の底部に設けられた取付部３ｆ、およびその取付部３ｆが有する取付溝３ｅについても、図示された形状に限定されることはなく、ダミー本体２をステージ１に設置できる構造であればよい。さらに、ダミー本体３の本体部３ａは、必ずしも、略半割り形状からなるものでなくてもよい。
【００３４】
また、延出部３ｇは、本体部３ａの外縁から上方および左右方向に延出していなくても、上方にのみ、あるいは、左右方向にのみ、延出していてもよい。また、図示実施の形態においては、延出部３ｇは、傾斜部３ｃおよび頭部３ｄの背面側の外縁から左右方向の外側にそれぞれ向かうようにして、延出しているが、さらに、胴体部３ｂの背面側の外縁からも左右方向の外側にそれぞれ向かうようにして、延出していてもよい。
【００３５】
また、広告等表示部４ａは、正面視略矩形状に形成されていなくてもよく、例えば、図１０（ａ）、（ｂ）で示すように、広告等表示部４ａの下端４ｄが、波状に形成されていてもよく、さらには、例えば、雲形状、矢印形状、吹き出し形状等に形成されていてもよく、その形状は任意に設定することができる。
【００３６】
また、図１０（ａ）、（ｂ）で示すように、広告等表示体４が有する延出片４ｃの全体が、被連結部８となってもよい。そして、広告等表示部４ａと延出片４ｃとの境界部分に、折り曲げのためのミシン目Ｍが設けられるとともに、広告等表示部４ａを、前記ミシン目Ｍに沿って下側に折り曲げることにより、広告等表示体４は、延出片４ｃの全体が、ダミー本体３側に折れ曲がり、かつ、広告等表示部４ａが、ダミー本体３の前面側（詳細には、傾斜部３ｃの上部部分および頭部３ｄの、前面側）に位置するようにして、ダミー本体３に取り付けられてもよい。また、広告等表示体４は、図１０（ａ）にて、便宜上、想像線Ｑで示す部分に、ミシン目等の折り曲げの手段が設けられることにより、延出片４ｃの一部が、ダミー本体３側に折れ曲がるようにして、ダミー本体３に取り付けられてもよい。
【００３７】
また、広告等表示体４は、例えば、図１１（ａ）、（ｂ）で示すように、被連結部８を複数備えていてもよい。この広告等表示体４にあっては、広告等表示部４ａの上端４ｂから延出する、複数（図示実施の形態においては、２個）の延出片４ｃ、４ｃを有し、それら延出片４ｃ、４ｃのそれぞれに、被連結部８が形成されている。ここにおいて、この広告等表示体４が取り付けられるダミー本体３にあっては、連結部６には、それら複数の被連結部８、８に設けられた被係合部７、７に対応する、複数（図示実施の形態においては、２個）の係合部５、５が設けられることとなる。
【００３８】
また、延出片４ｃは、広告等表示部４ａの上端４ｂから延出するように形成されていなくても、例えば、図１２（ａ）、（ｂ）で示すように、広告等表示部４ａの側端４ｅから延出するように形成されてもよい。図示実施の形態においては、広告等表示体４は、広告等表示部４ａの左右の側端４ｅ、４ｅから延出する、延出片４ｃ、４ｃを有し、それら延出片４ｃ、４ｃのそれぞれに、被連結部８が形成されている。ここにおいて、この広告等表示体４が取り付けられるダミー本体３にあっては、例えば、延出部３ｇの左右それぞれの側に、連結部６、６が形成され、これら連結部６、６のそれぞれに、係合部５、５が設けられることとなる。図示実施の形態においては、延出部３ｇの、傾斜部３ｃおよび頭部３ｄの左右それぞれの側に位置する部分が、連結部６、６となり、それら連結部６、６に、左右の側方に開口するように、凹状の係合部５、５が形成されている。また、それぞれの係合部５、５の幅狭空間形成部５ａ、５ａが、ダミー本体３の左側あるいは右側に形成された前記配備空間（図示実施の形態においては、外方空間）Ｓ、Ｓに臨んでいる。そして、広告等表示体４は、各延出片４ｃ、４ｃの一部が、前記ダミー本体３側に折れ曲がり、かつ、広告等表示部４ａが、前記ダミー本体３の前面側（詳細には、傾斜部３ｃの上部部分および頭部３ｄの、前面側）に位置するようにして、前記ダミー本体３に取り付けられている。なお、広告等表示体４は、広告等表示部４ａの左右いずれかの側にのみ、前記延出片４ｃを有するものであってもよい。
【００３９】
また、図１２（ａ）で示す広告等表示体４にあっては、例えば、図１３で示すように、延出片４ｃを折り曲げずに、すなわち、広告等表示体４の全体を湾曲させるようにして、ダミー本体３に取り付けてもよい。このように、広告等表示体４は、延出片４ｃの一部あるいは全体が、ダミー本体３側に折れ曲がることなく、かつ、広告等表示部４ａが、ダミー本体３の前面側（詳細には、傾斜部３ｃの上部部分および頭部３ｄの、前面側）に位置するようにして、ダミー本体３に取り付けられてもよい。
【００４０】
また、案内部１０は、その全体が、幅狭部８ａから被係合部７、７に向かってテーパー状に広がるように、形成されていなくても、例えば、その一部が直線状、あるいは、その他の形状に形成されていてもよい。
【００４１】
また、連結部６には、例えば、図１４で示すように、前記凹状の係合部５（すなわち、入り口側に幅狭空間形成部５ａを有するとともに、奥側に幅広空間形成部５ｂを有する係合部５）と連通する、例えば左右方向に延びた長孔（詳細には、被連結部８の幅広部８ｂの基端部８ｅよりも幅広となるように左右方向に延びた長孔）からなる配備空間Ｓが形成され、その配備空間Ｓに、前記幅狭空間形成部５ａが臨むようにしてもよい。
【００４２】
また、図１５（ａ）、（ｂ）および図１６で示すように、広告等表示体４が、広告等表示部４ａの上端４ｂから延出する、一対の延出片４ｃ、４ｃを有し、それら延出片４ｃ、４ｃのそれぞれに被連結部８が形成され、かつ、それら一対の被連結部８、８の互いに向き合う側の側部８ｃ、８ｃに、切り込みからなる被係合部７、７が設けられてもよい。そして、案内部１０は、被連結部８、８の、前記互いに向き合う側の側部８ｃ、８ｃが、幅狭部８ａ、８ａから被係合部７、７に向かうに連れて、互いに近づくようにテーパー状に傾斜して、形成されてもよい。ここにおいて、この広告等表示体４が取り付けられるダミー本体３にあっては、延出部３ｇの、本体部３ａの上方位置に形成された連結部６の、左右の両端部に、切り込みからなる係合部５、５がそれぞれ設けられており、それら係合部５、５は、上方に開放しているとともに、左右の側方にも開放するように形成されている。そして、係合部５、５の幅狭空間形成部５ａ、５ａは、延出部３ｇの左右の側端の延長線（図１５（ｂ）にて便宜上、想像線で示す。）Ｌ、Ｌとの間に、幅の狭い空間を形成し、また、係合部５、５の幅広空間形成部５ｂ、５ｂは、前記延長線Ｌ、Ｌとの間に、幅の広い空間を形成している。
【００４３】
また、ダミー本体３は、前記延出部３ｇを有していなくてもよく、例えば、本体部３ａの外縁に、前記係合部５が設けられた連結部６を形成してもよい。
【００４４】
また、図示実施の形態においては、ダミー本体３が、前記係合部５が設けられた前記連結部６を備え、広告等表示体４が、前記被係合部７が設けられた前記被連結部８を備えているが、反対に、ダミー本体３が、前記被係合部７が設けられた前記被連結部８を備え、広告等表示体４が、前記係合部５が設けられた前記連結部６を備えていてもよい。ここにおいて、ダミー本体３が前記延出部３ｇを有し、その延出部３ｇに前記被連結部８が形成され、また、広告等表示体４が前記延出片４ｃを有し、その延出片４ｃに前記連結部６が形成されてもよい。あるいは、広告等表示体４が前記延出片４ｃを有さず、広告等表示部４ａの上下または／および左右の端部に、前記連結部６が形成されてもよい。
【００４５】
また、前記折り曲げのための手段は、ミシン目Ｍでなくともよく、例えば、折り曲げのための印あるいは折り目等であってもよい。また、延出片４ｃには、前記ミシン目Ｍ、ならびに、折り曲げのための印あるいは折り目等が設けられていなくてもよい。
【図面の簡単な説明】
【００４６】
【図１】この発明の一実施の形態の、ダミー体の斜視図である。
【図２】同じく、図１におけるＡ−Ａ線による断面図である。
【図３】同じく、広告等表示体の正面図である。
【図４】同じく、ダミー本体の要部を示す正面図である。
【図５】同じく、ダミー体の、被連結部の幅狭部を係合部の幅広空間形成部へと進入させた状態の、要部を示す斜視図である。
【図６】同じく、幅狭部が進入した幅広空間形成部を、幅狭部から被係合部方向に相対的にスライド移動させた状態の、要部を示す斜視図である。
【図７】同じく、幅広空間形成部と当接した幅広部が、幅狭空間形成部側に凸に湾曲するように弾性変形した状態の、要部を示す斜視図である。
【図８】同じく、ダミー本体に広告等表示体を取り付けた状態であって、その広告等表示体の広告等表示部側を折り曲げていない状態の、要部を示す斜視図である。
【図９】同じく、ダミー体を複数重ね合わせた状態を示す斜視図である。
【図１０】この発明のダミー体の第一の変形例を示し、（ａ）は広告等表示体の正面図、（ｂ）は、ダミー体の要部を示す斜視図である。
【図１１】この発明のダミー体の第二の変形例を示し、（ａ）は広告等表示体の正面図、（ｂ）は、ダミー体の要部を示す斜視図である。
【図１２】この発明のダミー体の第三の変形例を示し、（ａ）は広告等表示体の正面図、（ｂ）は、ダミー体の要部を示す斜視図である。
【図１３】同じく、広告等表示体を、被連結部８を折り曲げずに、ダミー本体に取り付けた状態の、要部を示す斜視図である。
【図１４】この発明のダミー体の第四の変形例の要部を示す斜視図である。
【図１５】この発明のダミー体の第五の変形例を示し、（ａ）は広告等表示体の正面図、（ｂ）は、ダミー本体の要部を示す正面図である。
【図１６】同じく、ダミー体の要部を示す斜視図である。
【符号の説明】
【００４７】
２    ダミー体
３    ダミー本体
３ａ  本体部
３ｇ  延出部
４    広告等表示体
４ａ  広告等表示部
４ｂ  上端
４ｃ  延出片
４ｅ  側端
５    係合部
５ａ  幅狭空間形成部
５ｂ  幅広空間形成部
６    連結部
７    被係合部
８    被連結部
８ａ  幅狭部
８ｂ  幅広部
８ｃ  側部
８ｄ  テーパー部
８ｅ  基端部
１０  案内部
【図１】
0004942641.tif 000002
【図２】
0004942641.tif 000003
【図３】
0004942641.tif 000004
【図４】
0004942641.tif 000005
【図５】
0004942641.tif 000006
【図６】
0004942641.tif 000007
【図７】
0004942641.tif 000008
【図８】
0004942641.tif 000009
【図９】
0004942641.tif 000010
【図１０】
0004942641.tif 000011
【図１１】
0004942641.tif 000012
【図１２】
0004942641.tif 000013
【図１３】
0004942641.tif 000014
【図１４】
0004942641.tif 000015
【図１５】
0004942641.tif 000016
【図１６】
0004942641.tif 000017